(57)【要約】【課題】簡便に電子染色を行うことができ、かつ高い染色効果を有する電子顕微鏡観察用染色剤を提供する。【解決手段】本発明に係る電子顕微鏡観察用染色剤は、三酢酸イッテルビウムを含有する。【選択図】図１
2013221854.tif 000002
【特許請求の範囲】
【請求項１】
三酢酸イッテルビウムを含有する、電子顕微鏡観察用染色剤。
【請求項２】
請求項１に記載の電子顕微鏡観察用染色剤に試料を接触させる工程を含む、電子顕微鏡観察用試料の染色方法。
【請求項３】
請求項２において、
前記電子顕微鏡観察用染色剤に接触した試料を、鉛化合物を含有する染色液に接触させる工程をさらに含む、電子顕微鏡観察用試料の染色方法。
【発明の詳細な説明】
【技術分野】
【０００１】
本発明は、電子顕微鏡観察用染色剤および電子顕微鏡観察用試料の染色方法に関する。
【背景技術】
【０００２】
生体試料の微細な構造等を観察する装置として、光学顕微鏡や電子顕微鏡が知られている。特に、電子顕微鏡は光学顕微鏡と比べて分解能が高いため、より微細な構造を観察する際に有効である。しかしながら、生体試料は、炭素、酸素、窒素、水素などの軽元素を含んで構成されているため、電子線を十分に散乱させることができない。したがって、電子顕微鏡で観察しても、電子顕微鏡像に十分なコントラストが得られない場合がある。そのため、電子顕微鏡で生体試料を観察する際には、一般的に、試料を重金属等で電子染色する。試料を電子染色することにより、電子線の散乱を促し、電子顕微鏡像にコントラストをつけることができる。
【０００３】
従来、電子染色剤（電子顕微鏡観察用染色剤）として、酢酸ウラニルが用いられていた。酢酸ウラニルは、高い染色効果を有しており、酢酸ウラニルで生体試料を染色することにより、高いコントラストの電子顕微鏡像を得ることができる。
【０００４】
また、特許文献１には、電子染色剤として、白金ブルー（［Ｐｔ４（ＮＨ３）８（Ｃ６Ｈ１３Ｏ５）４］＋５）が開示されている。
【先行技術文献】
【特許文献】
【０００５】
【特許文献１】特開２００８−２８６７２９号公報
【発明の概要】
【発明が解決しようとする課題】
【０００６】
上述したように、酢酸ウラニルは高い染色効果を有しているが、放射性物質のため、入手や使用に厳しい規制がある。そのため、酢酸ウラニルに代替する電子染色剤が求められている。上述した特許文献１に開示された白金ブルーは、酢酸ウラニルに代替する電子染色剤の１つとして知られている。
【０００７】
白金ブルーは、時間が経過すると変質する場合があるため、使用にあわせて合成することが望ましい。しかしながら、白金ブルーの合成には、通常５〜７日程度の時間が必要であり、かつ高度な化学的知識を必要とする。したがって、白金ブルーを用いた電子染色では、白金ブルーの合成に時間や手間がかかってしまい、簡便に電子染色を行うことができないという問題があった。
【０００８】
本発明は、以上のような問題点に鑑みてなされたものであり、本発明のいくつかの態様によれば、簡便に電子染色を行うことができ、かつ高い染色効果を有する電子顕微鏡観察用染色剤および電子顕微鏡観察用試料の染色方法を提供することができる。
【課題を解決するための手段】
【０００９】
（１）本発明に係る電子顕微鏡観察用染色剤は、三酢酸イッテルビウムを含有する。
【００１０】
このような電子顕微鏡観察用染色剤によれば、高い染色効果を有することができる。さらに、三酢酸イッテルビウムは、合成等の必要がなく、例えば、水に溶解させるだけで電子染色剤として用いることができる。したがって、簡便に電子染色を行うことができる。さらに、ネガティブ染色においても、高い染色効果を有することができる。
【００１１】
（２）本発明に係る電子顕微鏡観察用試料の染色方法は、
本発明に係る電子顕微鏡観察用染色剤に試料を接触させる工程を含む。
【００１２】
このような電子顕微鏡観察用試料の染色方法によれば、試料を、簡便かつ良好に電子染色することができる。
【００１３】
（３）本発明に係る電子顕微鏡観察用試料の染色方法において、
前記電子顕微鏡観察用染色剤に接触した試料を、鉛化合物を含有する染色液に接触させる工程をさらに含んでいてもよい。
【００１４】
このような電子顕微鏡観察用試料の染色方法によれば、染色効果を高めることができる。
【図面の簡単な説明】
【００１５】
【図１】三酢酸イッテルビウムで染色された腎臓糸球体の透過電子顕微鏡像。
【図２】酢酸ウラニルで染色された腎臓糸球体の透過電子顕微鏡像。
【図３】三酢酸イッテルビウムで染色された肝臓の透過電子顕微鏡像。
【図４】酢酸ウラニルで染色された肝臓の透過電子顕微鏡像。
【図５】三酢酸イッテルビウムで染色された海馬の透過電子顕微鏡像。
【図６】酢酸ウラニルで染色された海馬の透過電子顕微鏡像。
【図７】三酢酸イッテルビウムで染色されたほうれん草の葉の透過電子顕微鏡像。
【図８】酢酸ウラニルで染色されたほうれん草の葉の透過電子顕微鏡像。
【図９】三酢酸イッテルビウムとクエン酸鉛染色液とで二重染色された腎臓糸球体の透過電子顕微鏡像。
【図１０】酢酸ウラニルとクエン酸鉛染色液とで二重染色された腎臓糸球体の透過電子顕微鏡像。
【図１１】三酢酸イッテルビウムとクエン酸鉛染色液とで二重染色された肝臓の透過電子顕微鏡像。
【図１２】酢酸ウラニルとクエン酸鉛染色液とで二重染色された肝臓の透過電子顕微鏡像。
【図１３】三酢酸イッテルビウムとクエン酸鉛染色液とで二重染色された海馬の透過電子顕微鏡像。
【図１４】酢酸ウラニルとクエン酸鉛染色液とで二重染色された海馬の透過電子顕微鏡像。
【図１５】三酢酸イッテルビウムとクエン酸鉛染色液とで二重染色されたほうれん草の葉の透過電子顕微鏡像。
【図１６】酢酸ウラニルとクエン酸鉛染色液とで二重染色されたほうれん草の葉の透過電子顕微鏡像。
【図１７】三酢酸イッテルビウムで染色されたＴ４ファージの透過電子顕微鏡像。
【図１８】酢酸ウラニルで染色されたＴ４ファージの透過電子顕微鏡像。
【図１９】三酢酸イッテルビウムで染色されたβ−アミロイドの透過電子顕微鏡像。
【図２０】酢酸ウラニルで染色されたβ−アミロイドの透過電子顕微鏡像。
【発明を実施するための形態】
【００１６】
以下、本発明の好適な実施形態について詳細に説明する。なお、以下に説明する実施形態は、特許請求の範囲に記載された本発明の内容を不当に限定するものではない。また以下で説明される構成の全てが本発明の必須構成要件であるとは限らない。
【００１７】
１．  第１実施形態
１．１．  電子顕微鏡観察用染色剤
まず、第１実施形態に係る電子顕微鏡観察用染色剤について説明する。
【００１８】
本実施形態に係る電子顕微鏡観察用染色剤は、三酢酸イッテルビウム（Ｙｂ（ＣＨ３ＣＯＯ）３）を含有する。なお、三酢酸イッテルビウムを含有するとは、三酢酸イッテルビウムの水和物を含有している場合も含むものとする。三酢酸イッテルビウムの水和物としては、例えば、酢酸イッテルビウム四水和物（Ｙｔｔｅｒｂｉｕｍ（III）  ａｃｅｔａｔｅ  ｔｅｔｒａｈｙｄｒａｔｅ，  Ｙｂ（ＣＨ３ＣＯＯ）３・４Ｈ２Ｏ）が挙げられる。
【００１９】
ここで、電子顕微鏡観察用染色剤とは、電子顕微鏡観察の対象となる試料を染色するための染色剤（電子染色剤）をいう。なお、染色とは、いわゆる電子染色をいい、試料の特定の部位に電子の散乱を促す物質（重金属等）を吸着または結合させることをいう。電子顕微鏡観察用染色剤を用いて試料を染色することにより、電子顕微鏡像にコントラストをつけることができる。
【００２０】
また、染色された試料の観察に用いられる電子顕微鏡としては、例えば、走査電子顕微鏡（Ｓｃａｎｎｉｎｇ  Ｅｌｅｃｔｒｏｎ  Ｍｉｃｒｏｓｃｏｐｅ、ＳＥＭ）、透過電子顕微鏡（Ｔｒａｎｓｍｉｓｓｉｏｎ  Ｅｌｅｃｔｒｏｎ  Ｍｉｃｒｏｓｃｏｐｅ、ＴＥＭ）、走査透過電子顕微鏡（Ｓｃａｎｎｉｎｇ  Ｔｒａｎｓｍｉｓｓｉｏｎ  Ｅｌｅｃｔｒｏｎ  Ｍｉｃｒｏｓｃｏｐｅ、ＳＴＥＭ）などが挙げられる。
【００２１】
本実施形態に係る電子顕微鏡観察用染色剤は、例えば、三酢酸イッテルビウム水溶液である。三酢酸イッテルビウム水溶液の濃度は特に限定されず、例えば、１〜１０質量％である。
【００２２】
本実施形態に係る電子顕微鏡観察用染色剤は、三酢酸イッテルビウムに加えて、さらに、三酢酸イッテルビウム以外の物質を含有していてもよい。
【００２３】
本実施形態に係る電子顕微鏡観察用染色剤は、例えば、タンパク質などの生体高分子を含んで構成される生体試料、ウイルス、リポソーム等の微粒子、炭素、酸素、窒素、水素などの軽元素を含んで構成される試料等を染色することができる。
【００２４】
１．２．  電子顕微鏡観察用試料の作製方法
次に、第１実施形態に係る電子顕微鏡観察用試料の作製方法について説明する。本実施形態に係る電子顕微鏡観察用試料の作製方法は、本実施形態に係る電子顕微鏡観察用試料の染色方法を含む。以下、本実施形態に係る電子顕微鏡観察用試料の作製方法の一例として、本実施形態に係る電子顕微鏡観察用試料の作製方法を、生体試料に適用した場合について説明する。
【００２５】
まず、生体試料をエポキシ樹脂に包埋する。具体的には、まず、灌流固定または浸漬固定した生体試料を切り出す。そして、切り出された生体試料を、カコジル酸緩衝１〜４％パラホルムアルデヒドと１〜４％グルタールアルデヒドとの混合液に浸漬し、前固定する。なお、前固定は、カコジル酸緩衝１〜４％パラホルムアルデヒドだけで行ってもよいし、１〜４％グルタールアルデヒドだけで行ってもよい。次に、前固定された生体試料を、カコジル酸緩衝液で洗浄し、１〜２％四酸化オスミウムで後固定する。そして、後固定された生体試料を上昇エタノール系列で脱水した後、エポキシ樹脂に包埋する。このようにして、生体試料をエポキシ樹脂に包埋することができる。なお、生体試料を包埋するための材料はエポキシ樹脂に限定されず、例えば、メタクリル酸樹脂、ポリエステル樹脂、パラフィン等を用いてもよい。
【００２６】
次に、エポキシ樹脂に包埋された生体試料を薄片化する。薄片化は、例えば、ミクロトーム（ウルトラミクロトーム）を用いて行われる。
【００２７】
次に、薄片化された生体試料を染色する。染色は、本実施形態に係る電子顕微鏡観察用染色剤を薄片化された生体試料に接触させることにより行われる。例えば、染色は、三酢酸イッテルビウム水溶液に、薄片化された生体試料を浸漬させることにより行われる。ここで、三酢酸イッテルビウム水溶液の温度は、例えば、５℃以上５０℃以下である。また、浸漬時間は、例えば、１分以上１０時間以下である。その後、染色された生体試料を純水等で洗浄する。
【００２８】
以上の工程により、電子顕微鏡観察用試料を作製することができる。
【００２９】
１．３．  実施例１
以下、実施例を挙げて本実施形態をさらに詳細に説明するが、本発明はこれによって制限されるものではない。
【００３０】
（１）試料作製
本実施例では、三酢酸イッテルビウムで染色された生体試料の（透過）電子顕微鏡観察用試料を作製した。生体試料としては、腎臓糸球体、肝臓、海馬、およびほうれん草の葉を用いた。具体的には、まず、灌流固定した生体試料（腎臓糸球体、肝臓、海馬、ほうれん草の葉）を切り出し、カコジル酸緩衝２％パラホルムアルデヒドと２％グルタールアルデヒドとの混合液に浸漬し、前固定した。次に、前固定された生体試料を、カコジル酸緩衝液で洗浄し、２％四酸化オスミウムで後固定した。そして、上昇エタノール系列で脱水し、エポキシ樹脂に包埋した。
【００３１】
次に、エポキシ樹脂に包埋された生体試料を薄片化した。薄片化は、ウルトラミクロトームを用いて行った。次に、薄片化された生体試料を、三酢酸イッテルビウム水溶液に室温で３０分間浸漬した。なお、三酢酸イッテルビウム水溶液は、三酢酸イッテルビウム四水和物（和光純薬工業株式会社製）を、蒸留水で溶解させることによって作製した。また、三酢酸イッテルビウム水溶液の濃度は、２質量％とした。その後、染色された生体試料を純水で洗浄した。このようにして、三酢酸イッテルビウムで染色された生体試料の電子顕微鏡観察用試料を作製した。
【００３２】
なお、比較例として、酢酸ウラニル（２質量％）で染色された生体試料（腎臓糸球体、肝臓、海馬、ほうれん草の葉）の電子顕微鏡観察用試料を作製した。具体的には、三酢酸イッテルビウムにかえて酢酸ウラニルを用いて染色した点を除いて、上述した三酢酸イッテルビウムで染色した場合の試料作製工程と同様の工程でこれらの試料を作製した。
【００３３】
（２）観察結果
このようにして作製された電子顕微鏡観察用試料を、透過電子顕微鏡で観察した。図１は、三酢酸イッテルビウムで染色された腎臓糸球体の透過電子顕微鏡像である。図２は、酢酸ウラニルで染色された腎臓糸球体の透過電子顕微鏡像である。
【００３４】
図１に示すように、三酢酸イッテルビウムで染色された腎臓糸球体の透過電子顕微鏡像では、核、蛸足細胞、内皮細胞、赤血球等が染色されていることが確認でき、これらが高いコントラストで鮮明に観察できた。また、図１に示す透過電子顕微鏡像では、図２に示す酢酸ウラニルで染色された腎臓糸球体の透過電子顕微鏡像と同程度の高いコントラストが得られた。このように、三酢酸イッテルビウムは、高い染色効果（電子染色効果）を有することがわかった。
【００３５】
図３は、三酢酸イッテルビウムで染色された肝臓の透過電子顕微鏡像である。図４は、酢酸ウラニルで染色された肝臓の透過電子顕微鏡像である。また、図５は、三酢酸イッテルビウムで染色された海馬の透過電子顕微鏡像である。図６は、酢酸ウラニルで染色された海馬の透過電子顕微鏡像である。また、図７は、三酢酸イッテルビウムで染色されたほうれん草の葉の透過電子顕微鏡像である。図８は、酢酸ウラニルで染色されたほうれん草の葉の透過電子顕微鏡像である。
【００３６】
図１および図２に示す腎臓糸球体の場合と同様に、図３、図５、図７に示す三酢酸イッテルビウムで染色された生体試料（肝臓、海馬、ほうれん草の葉）の透過電子顕微鏡像では、図４、図６，図８に示す酢酸ウラニルで染色された生体試料の透過電子顕微鏡像と同等の高いコントラストが得られた。このように、三酢酸イッテルビウムは、高い染色効果（電子染色効果）を有することがわかった。
【００３７】
本実施形態に係る電子顕微鏡観察用染色剤によれば、三酢酸イッテルビウムを含有していることにより、高い染色効果を有することができる。さらに、三酢酸イッテルビウムは、合成等の必要がなく、例えば、水等に溶解させるだけで電子染色剤として用いることができる。したがって、簡便に電子染色を行うことができる。
【００３８】
本実施形態に係る電子顕微鏡観察用試料の染色方法によれば、上述したように、簡便に電子染色を行うことができ、かつ高い染色効果を有する本実施形態に係る電子顕微鏡観察用染色剤を用いて染色するため、試料を、簡便かつ良好に染色することができる。
【００３９】
２．  第２実施形態
２．１．  電子顕微鏡観察用試料の作製方法
次に、第２実施形態に係る電子顕微鏡観察用試料の作製方法について説明する。
【００４０】
第２実施形態に係る電子顕微鏡観察用試料の作製方法は、上述した第１実施形態に係る電子顕微鏡観察用試料の作製工程に加えて、さらに、第１実施形態に係る電子顕微鏡観察用染色剤に接触した試料を、鉛化合物を含有する染色液に接触させる工程を含む。
【００４１】
第２実施形態に係る電子顕微鏡観察用試料の作製方法は、例えば、三酢酸イッテルビウムで染色された試料を、鉛化合物を含有する染色液に浸漬する工程を含む。すなわち、第２実施形態に係る電子顕微鏡観察用試料の作製方法では、試料を、三酢酸イッテルビウムと鉛化合物を含有する染色液とによって二重染色する。
【００４２】
鉛化合物としては、例えば、クエン酸鉛が挙げられる。このクエン酸鉛を含有する染色液（クエン酸鉛染色液）としては、例えば、レイノルド（Ｒｅｙｎｏｌｄｓ）法で処方されたものが挙げられる。クエン酸鉛染色液の温度は、例えば、５℃以上５０℃以下である。また、浸漬時間は、例えば、１分以上１０時間以下程度である。クエン酸鉛染色液に浸漬された試料は、純水等によって洗浄される。また、鉛化合物として、例えば、硝酸鉛を用いてもよい。以上の工程により、電子顕微鏡観察用試料を作製することができる。
【００４３】
２．２．  実施例２
以下、実施例を挙げて本実施形態をさらに詳細に説明するが、本発明はこれによって制限されるものではない。
【００４４】
（１）試料作製
本実施例では、三酢酸イッテルビウムとクエン酸鉛染色液とで二重染色された生体試料の電子顕微鏡観察用試料を作製した。生体試料としては、腎臓糸球体、肝臓、海馬、およびほうれん草の葉を用いた。具体的には、上述した実施例１と同様の工程で、生体試料を三酢酸イッテルビウムで染色し、この三酢酸イッテルビウムで染色された生体試料をレイノルドのクエン酸鉛染色液に室温で１０分間浸漬し、その後、純水で洗浄した。
【００４５】
また、比較例として、酢酸ウラニルとクエン酸鉛染色液とで二重染色された生体試料（腎臓糸球体、肝臓、海馬、およびほうれん草の葉）の電子顕微鏡観察用試料を作製した。具体的には、三酢酸イッテルビウムにかえて、酢酸ウラニルを用いる点を除いて、上述した三酢酸イッテルビウムとクエン酸鉛染色液とで二重染色された試料の試料作製工程と同様の工程でこれらの試料を作製した。
【００４６】
（２）観察結果
このようにして作製された電子顕微鏡観察用試料を、透過電子顕微鏡で観察した。
【００４７】
図９は、三酢酸イッテルビウムとクエン酸鉛染色液とで二重染色された腎臓糸球体の透過電子顕微鏡像である。図１０は、酢酸ウラニルとクエン酸鉛染色液とで二重染色された腎臓糸球体の透過電子顕微鏡像である。図９に示すように、三酢酸イッテルビウムとクエン酸鉛染色液とで二重染色された腎臓糸球体の透過電子顕微鏡像では、核、蛸足細胞、内皮細胞、赤血球等が染色されていることが確認でき、これらが高いコントラストで鮮明に観察できた。また、図９に示す透過電子顕微鏡像では、図１０に示す酢酸ウラニルとクエン酸鉛染色液とで二重染色された腎臓糸球体の透過電子顕微鏡像と同程度の高いコントラストが得られた。また、図９に示す透過電子顕微鏡像では、図１に示す三酢酸イッテルビウムのみで染色された腎臓糸球体の透過電子顕微鏡像と比べて、より高いコントラストが得られた。このように、三酢酸イッテルビウムとクエン酸鉛染色液とで二重染色された場合、三酢酸イッテルビウムのみで染色された場合と比べて、より染色効果を高めることができることがわかった。
【００４８】
図１１は、三酢酸イッテルビウムとクエン酸鉛染色液とで二重染色された肝臓の透過電子顕微鏡像である。図１２は、酢酸ウラニルとクエン酸鉛染色液とで二重染色された肝臓の透過電子顕微鏡像である。また、図１３は、三酢酸イッテルビウムとクエン酸鉛染色液とで二重染色された海馬の透過電子顕微鏡像である。図１４は、酢酸ウラニルとクエン酸鉛染色液とで二重染色された海馬の透過電子顕微鏡像である。また、図１５は、三酢酸イッテルビウムとクエン酸鉛染色液とで二重染色されたほうれん草の葉の透過電子顕微鏡像である。図１６は、酢酸ウラニルとクエン酸鉛染色液とで二重染色されたほうれん草の葉の透過電子顕微鏡像である。
【００４９】
図９および図１０に示す腎臓糸球体の場合と同様に、図１１、図１３、図１５に示す三酢酸イッテルビウムとクエン酸鉛染色液とで二重染色された生体試料（肝臓、海馬、ほうれん草の葉）の透過電子顕微鏡像では、図１２、図１４，図１６に示す酢酸ウラニルとクエン酸鉛染色液とで二重染色された生体試料の透過電子顕微鏡像と同等の高いコントラストが得られた。また、図１１、図１３、図１５に示す透過電子顕微鏡像では、図３、図５、図７に示す三酢酸イッテルビウムのみで染色された生体試料（肝臓、海馬、ほうれん草の葉）の透過電子顕微鏡像と比べて、より高いコントラストが得られた。このように、三酢酸イッテルビウムとクエン酸鉛染色液とを用いた二重染色は、高い染色効果（電子染色効果）を有することがわかった。
【００５０】
本実施形態に係る電子顕微鏡観察用試料の作製方法によれば、三酢酸イッテルビウムを含有する電子顕微鏡観察用染色剤と鉛染色液とで二重染色を行うことにより、三酢酸イッテルビウムを含有する電子顕微鏡観察用染色剤のみで染色を行った場合と比較して、より染色効果を高めることができる。
【００５１】
３．  第３実施形態
３．１．  電子顕微鏡観察用試料の作製方法
次に、第３実施形態に係る電子顕微鏡観察用試料の作製方法について説明する。
【００５２】
第３実施形態に係る電子顕微鏡観察用試料の作製方法では、本発明に係る電子顕微鏡観察用染色剤を、ネガティブ染色法に適用した。
【００５３】
第３実施形態に係る電子顕微鏡観察用試料の作製方法は、本発明に係る電子顕微鏡観察用染色剤にウイルスやタンパク質等の試料を接触させることにより行う。具体的には、例えば、カーボン支持膜等を備えたグリッド上に、ウイルス等を含む試料を載せ、本実施形態に係る電子顕微鏡観察用染色剤（三酢酸イッテルビウム水溶液）を加える。これにより、染色剤の一部が、グリッドの支持膜と試料との間、試料の凹凸の凹部等に残留し、透過電子顕微鏡像にコントラストがつく（ネガティブ染色法）。
【００５４】
３．２．  実施例３
以下、実施例を挙げて本実施形態をさらに詳細に説明するが、本発明はこれによって制限されるものではない。
【００５５】
（１）試料作製
本実施例では、三酢酸イッテルビウムで染色された、バクテリオファージの一種であるＴ４ファージの（透過）電子顕微鏡観察用試料を作製した。具体的には、支持膜を備えたグリッド上にＴ４ファージを吸着させ、三酢酸イッテルビウム水溶液を加える。そして、余分な三酢酸イッテルビウム水溶液を濾紙で吸い取り乾燥させた。なお、三酢酸イッテルビウム水溶液は、三酢酸イッテルビウム四水和物（和光純薬工業株式会社製）を、蒸留水で溶解させることによって作製した。また、三酢酸イッテルビウム水溶液の濃度は、２質量％とした。
【００５６】
また、同様の工程で、三酢酸イッテルビウムで染色された、線維状タンパク質であるβ−アミロイドの（透過）電子顕微鏡観察用試料を作製した。
【００５７】
なお、比較例として、酢酸ウラニル（２質量％）で染色された、Ｔ４ファージおよびβ−アミロイドの電子顕微鏡観察用試料を作製した。具体的には、三酢酸イッテルビウムにかえて酢酸ウラニルを用いて染色した点を除いて、上述した三酢酸イッテルビウムで染色した場合の試料作製工程と同様の工程でこれらの試料を作製した。
【００５８】
（２）観察結果
このようにして作製された電子顕微鏡観察用試料を、透過電子顕微鏡で観察した。図１７は、三酢酸イッテルビウムで染色（ネガティブ染色）されたＴ４ファージの透過電子顕微鏡像である。図１８は、酢酸ウラニルで染色（ネガティブ染色）されたＴ４ファージの透過電子顕微鏡像である。
【００５９】
図１７に示すように、三酢酸イッテルビウムで染色されたＴ４ファージの透過電子顕微鏡像では、Ｔ４ファージが高いコントラストで鮮明に観察できた。また、図１７に示す透過電子顕微鏡像では、図１８に示す酢酸ウラニルで染色（ネガティブ染色）されたＴ４ファージの透過電子顕微鏡像と同程度の高いコントラストが得られた。
【００６０】
また、図１９は、三酢酸イッテルビウムで染色（ネガティブ染色）されたβ−アミロイドの透過電子顕微鏡像である。図２０は、酢酸ウラニルで染色（ネガティブ染色）されたβ−アミロイドの透過電子顕微鏡像である。
【００６１】
図１７および図１８に示すＴ４ファージの場合と同様に、図１９に示す三酢酸イッテルビウムで染色されたβ−アミロイドの透過電子顕微鏡像では、図２０に示す酢酸ウラニルで染色されたβ−アミロイドの透過電子顕微鏡像と同等の高いコントラストが得られた。
【００６２】
本実施形態に係る電子顕微鏡観察用染色剤によれば、三酢酸イッテルビウムを含有していることにより、ネガティブ染色法においても、高い染色効果を有することができる。
【００６３】
なお、本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図１】
2013221854.tif 000003
【図２】
2013221854.tif 000004
【図３】
2013221854.tif 000005
【図４】
2013221854.tif 000006
【図５】
2013221854.tif 000007
【図６】
2013221854.tif 000008
【図７】
2013221854.tif 000009
【図８】
2013221854.tif 000010
【図９】
2013221854.tif 000011
【図１０】
2013221854.tif 000012
【図１１】
2013221854.tif 000013
【図１２】
2013221854.tif 000014
【図１３】
2013221854.tif 000015
【図１４】
2013221854.tif 000016
【図１５】
2013221854.tif 000017
【図１６】
2013221854.tif 000018
【図１７】
2013221854.tif 000019
【図１８】
2013221854.tif 000020
【図１９】
2013221854.tif 000021
【図２０】
2013221854.tif 000022